(57)【要約】【課題】  移動速度の速いロープを強く握っても、火傷する恐れの少ないロープ掴み用の手嵌め具を提供する。【解決手段】  荷降ろしロープ掴み用の手嵌め具５０、６０は全体が略筒状に形成されており、人指し指から小指までの４本を揃えて手首側の開口部５１、６１から挿通し、人指し指から小指までの４本の指を指側の開口部５２、６２から外部へ出すことにより、掌と手甲の周りに着脱自在に装着可能である。荷降ろしロープ掴み用の手嵌め具５０、６０の内、掌を覆う掌部５３、６３と手甲を覆う手甲部５４、６４はロープを略わらじ状に編んだマット体５５、６５により形成されている。マット体５５、６５は変形性とロープ素材の摩擦性、断熱性を合わせ持っている。【選択図】      図６
2019119971.tif 000002
【特許請求の範囲】
【請求項１】
掌と手甲の周りに着脱自在に装着して、ロープを掴むことができる手嵌め具であって、
掌側と手甲側の内、少なくとも掌側がロープを編んで形成した変形性を有するマット体により形成されていること、
を特徴とするロープ掴み用の手嵌め具。
【請求項２】
親指を通して掛ける親指掛け部を備えたこと、
を特徴とする請求項１記載のロープ掴み用の手嵌め具。
【請求項３】
マット体は、ロープをわらじ編みして形成されていること、
を特徴とする請求項１または２記載のロープ掴み用の手嵌め具。
【請求項４】
マット体は、麻ロープ（マニラ麻ロープを含む）、綿ロープ、ポリプロピレンロープ、ビニロンロープ（クレモナロープ）、ビニロンとポリエチレンの混撚ロープ、ビニロンとエステルの混撚ロープロープの内の１種または複数種のロープにより編まれていること、
を特徴とする請求項１乃至３の内のいずれか一項記載のロープ掴み用の手嵌め具。
【発明の詳細な説明】
【技術分野】
【０００１】
本発明はロープ掴み用の手嵌め具に係り、とくにマンション、ビル等の建築物の新築・改修工事現場等の仮設足場等からロープを用いて足場部材、建築用工事資材、建築物の解体部材等の荷降ろしをする場合などに用いて好適なロープ掴み用の手嵌め具に関する。
【背景技術】
【０００２】
マンション、ビル等の新築・改修工事現場等で工事後の仮設足場は、最上段から順次、足場部材を外して地上に降ろして解体することで撤去される。ビティ式仮設足場の場合、図１に示す如く、ビティ式仮設足場１の最上部のステージに建枠部材２を１つ立脚した状態で、作業員Ａが荷降ろしロープ３を建枠部材２の上部の横枠４に二つ折りにして掛ける。荷降ろしロープ３の一端の輪部５に荷降ろし対象の建枠部材６を掛け、横枠４に掛かった荷降ろしロープ３の両側の下降側ロープ３ａと上昇側ロープ３ｂを皮手袋をした両手で支持しながら建枠部材６を投下する。縦枠部材６が地上に近づいた所で、下降側ロープ３ａと上昇側ロープ３ｂを両手でまとめて強く握り、摩擦ブレーキを掛けてスピードを落とし、ゆっくり地上に降ろす。地上の作業員Ｂは荷降ろしロープ３から建枠部材６を外し、空きスペースに積み上げる。作業員Ａは荷降ろしロープ３の上昇側ロープ３ｂを引き下げて元に戻し、同様の作業を繰り返して他の建枠部材や足場ステージを解体していく。クサビ緊結式足場など、他の種類の仮設足場も同様の作業で解体するようにしている。
【０００３】
ところで、一回に荷降ろしする足場部材は、複数個の建枠部材や、複数個の足場ステージなどで４０ｋｇ程度の重量があり、作業員Ａがブレーキを掛ける際、下降側ロープ３ａと上昇側ロープ３ｂを両手でかなり強く握り締める必要があり、摩擦熱で火傷する恐れがあるため、作業者の身体的な負担が大きく作業の円滑な進行の妨げとなっていた。
【０００４】
この問題を解決するために本願発明者は、図２、図３に示す如き荷降ろし補助具を開発した。図２は荷降ろし補助具の使用状態を示す一部省略した斜視図、図３は図２中の荷降ろし補助具周りの一部省略した拡大外観斜視図である。これらの図において、図１と同一の構成部分には同一の符号が付してある。
図２において、２００は建物、２０１は建物２００の脇に仮設されたビティ式仮設足場であり、解体途中の状態を示す。２０２はビティ式仮設足場２０１の建物側を建物２００の前面に仮固定しているアンカーボルトであり、足場の解体が進行するに伴い、順次取り外される。ビティ式仮設足場２０１の最上部のステージに建枠部材２が一脚立設されており、この建枠部材２の前側の縦枠８の上端部に全体が鋼製の簡易クレーン１０が着脱自在に装着されている。簡易クレーン１０は図３の上部に示す如く、上下方向に配設された角パイプからなる基部支柱１１、基部支柱１１の背面側の上部に設けられて縦枠８に着脱自在なクランプ１２、基部支柱１１の背面側の下部に設けられて縦枠８に係脱自在な係合爪１３、基部支柱１１の上端部から斜め上前方へ延設された角パイプからなるアーム部１４、アーム部１４の前端部に固着されたＵ字状の滑車取り付け部１５、アーム部１４の下面側の途中と基部支柱１１の下端部の前面側との間に斜め方向に固着された補強部材１６とから成る。基部支柱１１、アーム部１４、補強部材１６によりブラケット１７が構成されている。滑車取り付け部１５には荷降ろし用のフック首廻し式の滑車２０を着脱自在に懸吊可能になっている。なお、係合爪１３はクランプと置き換えても良い。
【０００５】
縦枠８の前面側で簡易クレーン１０のすぐ下に、全体が鋼製の荷降ろし補助具３０が着脱自在に装着されている。ビティ式仮設足場２０１の最上部のステージに載った作業員Ａは簡易クレーン１０に懸吊した滑車２０に荷降ろしロープ３を巻き掛け、荷降ろし補助具３０の後述するブレーキ部３４にも巻き掛けて荷降ろし対象の建枠部材６を地上に荷降ろしする。
荷降ろしロープ３は、麻ロープ（マニラ麻ロープを含む）、綿ロープなどの天然繊維系ロープ、ポリプロピレンロープ、ビニロンロープ（クレモナロープ）、ビニロンとポリエチレン、ビニロンとエステルなどの混撚ロープなどである。
【０００６】
荷降ろし補助具３０は、図３の下部に示す如く、上下方向に延びた角パイプからなる基部支柱３１を有し、基部支柱３１の背面側の上下に装着されたクランプ３２、３３により、建枠部材２の前側の縦枠８に着脱自在に装着可能となっている。基部支柱３１の前側（クランプ３２、３３とは反対側）には、巻き掛け式のブレーキ部３４が装着されている。このブレーキ部３４は荷降ろしロープ３を巻き掛けて摩擦によるブレーキを掛けるためのものである。ブレーキ部３４の内、３５は荷降ろしロープ３が巻き掛けられるブレーキドラムとしての鋼製で円筒状の胴部、３６と３７は胴部３５の左右両端に装着された円環状のストッパであり、荷降ろしロープ３が胴部３５から外れないようにする。３８と３９は胴部３５の軸方向の中央部分を基部支柱３１の前面側に固着する固着プレートである。胴部３５は軸が左右方向に水平に配設されている。
【０００７】
図４は上記した簡易クレーン１０と荷降ろし補助具３０による荷降ろし方法の説明図であり、以下、この図を参照して上記した荷降ろし補助具３０の使用方法を説明する。
図２に示す如く、予めビティ式仮設足場２０１の最上部のステージから上方に立脚された建枠部材２の前側の縦枠８の上端部に簡易クレーン１０が装着済みであり、かつ簡易クレーン１０の下側に荷降ろし補助具３０が装着済みであるとする。具体的には、簡易クレーン１０は基部支柱１１の係合爪１３を縦枠８の前面に係合し、クランプ１２により縦枠８の前面に締結してある。滑車取り付け部１５には滑車２０が懸吊してある。荷降ろし補助具３０は基部支柱３１が簡易クレーン１０のすぐ下で、クランプ３２、３３により縦枠８の前面に締結してある。
【０００８】
ビティ式仮設足場２０１の最上部のステージに配置した作業員Ａは、荷降ろしロープ３を滑車２０に巻き掛けるとともに、荷降ろしロープ３の手元側をブレーキ部３４の胴部３５に約１／１２周乃至１／８周程度か、それより１周または２周多い程度巻き掛けておく（胴部３５への巻き掛け量は荷降ろし対象部材の重量、荷降ろし高さ、荷降ろしロープの長さなどで調節する。例えば、荷降ろし対象部材の重量がブレーキ部３４から垂れ下がった上昇側ロープ３ｂの重量（地上とブレーキ部３４との間の部分の重量であり、地上に横たわった部分を除く）より遥かに重いときは巻き掛け量を多くすることもできる。そして、滑車２０から垂れ下がった下降側ロープ３ａの下端の輪部５にカラビナ２１と玉掛けロープ２２を介して荷降ろし対象の建枠部材６を吊持する。この際、簡易クレーン１０のアーム部１４が斜め上方に向いており、滑車２０の位置が高くなっているので、輪部５に吊持された建枠部材６の下端が作業員Ａの配置した足場ステージ２４、２５にぶつかり難くなり、建枠部材６の取り扱いが容易となる。
【０００９】
ブレーキ部３４から垂れ下がった上昇側ロープ３ｂを上昇移動を拘束しないように皮手袋をした手で支持しながら建枠部材６を地上に投下する。荷降ろし対象部材の重量がブレーキ部３４から垂れ下がった上昇側ロープ３ｂの重量より遥かに重いものとすると、すぐに下降速度が一定以上に速くなり、胴部３５に巻き掛けられた荷降ろしロープ３は遠心力で胴部３５の半径方向外側に膨らんだ大きな円弧（または円）を描き、拡径しながら移動するので殆ど胴部３５の表面に接触せず、摩擦力が殆ど生じず、円滑に建枠部材６は落下する。滑車２０がビティ式仮設足場２０１の前面より前方に離れているので、荷降ろし中の建枠部材６とビティ式仮設足場２０１の前面との間に距離があき、建枠部材６に上昇側ロープ３ｂの下端の輪部（図１の符号７参照）が引っ掛かる恐れが少ない。このため、作業員Ａは荷降ろし中の建枠部材６がビティ式仮設足場２０１の前面に衝突しないように下降側ロープ３ａを前方に押す必要があまりなく、上昇側ロープ３ｂを手で制御して下端の輪部７が荷降ろし中の建枠部材６に引っ掛からないように注意すればよく、作業性が良好となる。
【００１０】
なお、荷降ろし高さが高いなど、投下時にブレーキ部３４から垂れ下がった上昇側ロープ３ｂの重量が荷降ろし対象部材の重量と比べてそれほど軽くないとき、最初の内は下降速度が遅く、荷降ろしロープ３が胴部３５の表面に接触しながら移動する。下降が進むと下降側ロープ３ａの重量が増して下降速度が速くなり、胴部３５に巻き掛けられた荷降ろしロープ３は遠心力で胴部３５の半径方向外側に膨らんだ大きな円弧（または円）を描き、拡径しながら移動するようになる。
【００１１】
建枠部材６が地上に近づいたところで、胴部３５の下側の上昇側ロープ３ｂを皮手袋をした両手または片手で掴み、上方移動を少し拘束すると、ブレーキ部３４に巻き掛けられた荷降ろしロープ３が締まって縮径し、胴部３５の表面に接触して大きな摩擦力が生じ、ブレーキが掛かる。これにより、上昇側ロープ３ｂを強く握らなくても建枠部材６をゆっくり地上に降ろすことができる。地上の作業員（図１の符号Ｂ参照）は荷降ろしロープ３から建枠部材６を外し、空きスペースに積み上げる。作業員Ａは荷降ろしロープ３の上昇側ロープ３ｂをブレーキ部３４から外し、滑車２０をフック首を軸にして１８０度回転し、荷降ろしロープ３の上昇側と下降側を入れ替えたのち、同様の作業を繰り返して他の足場部材（建枠部材、足場ステージなど）を荷降ろしする（荷降ろしロープ３の輪部７の側にもカラビナを介して玉掛けロープが吊持されている）。
【００１２】
図２、図３の荷降ろし補助具によれば、滑車２０から下がった荷降ろしロープ３に荷降ろし対象の建枠部材６を吊るして地上に投下したあと降下速度が一定以上に速くなると、胴部３５から垂れ下がった荷降ろしロープ３の上昇移動を拘束しないときは遠心力で荷降ろしロープが胴部３５から離れてブレーキが掛からず、上昇移動を皮手袋をした手で拘束すると荷降ろしロープ３が胴部３５に接触して大きな摩擦力が生じブレーキが掛かる。従って、皮手袋と上昇側ロープ３ａとの間の摩擦熱は小さく、火傷する恐れがなくなり、作業者Ａの身体的負担が軽減し、また作業の中断や遅延が生じ難く作業性が改善する。また、ブレーキを掛けるときに下降側ロープ３ａと上昇側ロープ３ｂの両方をまとめて握らなくて良いので、荷降ろし対象の建枠部材６に上昇側ロープ３ｂが引っ掛かる恐れが少なくなる。
【００１３】
なお、上記した荷降ろし補助具では、ブレーキ部の鋼製の胴部の外周表面と荷降ろしロープの間で生じる摩擦力でブレーキが掛かるようにしたが、胴部の外周表面の軸方向の全部または一部を覆うようにして、ロープ、皮シート、ゴムシート、布シート等の摩擦部材を胴部の表面に装着し、鋼製の胴部表面と比較して、荷降ろしロープが摩擦部材と接触することで、より大きな摩擦力が生じるようにしても良い。図５に摩擦部材としての摩擦用ロープ４０を胴部３５の外周面に平巻き状に巻装した荷降ろし補助具３０Ａを示す。摩擦用ロープ４０には麻ロープ、ポリプロピレンロープなど、荷降ろしロープと同様の素材を用いることができる。
【００１４】
ところで、荷降ろしロープを胴部に巻き掛けた状態で、荷降ろし対象部材を地上に投下したあとは、胴部への巻き掛け量を大きく増やすことは困難であり、荷降ろし高さが高いなどの理由で荷降ろし対象部材の降下速度が速くなり過ぎた場合に、ブレーキが間に合わない恐れがある。この場合、胴部から垂れ下がった上昇側ロープを皮手袋をした手で強く握る必要があり、摩擦熱で火傷する恐れがあった。
【発明の概要】
【発明が解決しようとする課題】
【００１５】
本発明は上記した従来技術の問題に鑑みなされたもので、移動速度の速いロープを握っても、火傷する恐れの少ないロープ掴み用の手嵌め具を提供することを、その目的とする。
【課題を解決するための手段】
【００１６】
請求項１記載の発明では、
掌と手甲の周りに着脱自在に装着して、ロープを掴むことができる手嵌め具であって、
掌側と手甲側の内、少なくとも掌側がロープを編んで形成した変形性を有するマット体により形成されていること、
を特徴としている。
請求項２記載の発明では、
親指を通して掛ける親指掛け部を備えたこと、
を特徴としている。
請求項３記載の発明では、
マット体は、ロープをわらじ編みして形成されていること、
を特徴としている。
請求項４記載の発明では、
マット体は、麻ロープ（マニラ麻ロープを含む）、綿ロープ、ポリプロピレンロープ、ビニロンロープ（クレモナロープ）、ビニロンとポリエチレンの混撚ロープ、ビニロンとエステルの混撚ロープロープの内の１種または複数種のロープにより編まれていること、
を特徴としている。
【発明の効果】
【００１７】
本発明によれば、手嵌め具を装着してしロープを掴むと、手の中で移動するロープとロープを編んで形成したマット体から成る掌部の間に大きな摩擦力が働き、ロープの移動速度の速い場合でも、確実にブレーキを掛けることができる。また、マット体の断熱性により作業者の手に摩擦熱が伝わり難くなる。
【図面の簡単な説明】
【００１８】
【図１】従来のビティ式仮設足場の解体方法を示す説明図である。
【図２】従来の荷降ろし方法の問題を解決することの可能な荷降ろし補助具の使用方法を示す斜視図である。
【図３】図２中の荷降ろし補助具周りの一部省略した拡大外観斜視図である。
【図４】図２中の荷降ろし補助具の使用方法を示す説明図である。
【図５】図２中の荷降ろし補助具の変形例を示すの説明図である。
【図６】本発明に係る荷降ろしロープ掴み用の手嵌め具を手に装着した状態を示す外観斜視図である（実施例１）。
【図７】図６の荷降ろしロープ掴み用の手嵌め具の作り方の説明図である。
【図８】図６の荷降ろしロープ掴み用の手嵌め具の使用方法の説明図である。
【図９】図６の荷降ろしロープ掴み用の手嵌め具の他の使用方法の説明図である。
【発明を実施するための最良の形態】
【００１９】
以下、本発明の最良の形態を実施例に基づき説明する。
【実施例１】
【００２０】
図６、図７を参照して本発明の実施例を説明する。図６は本発明に係る荷降ろしロープ掴み用の手嵌め具を手に装着した状態を示す外観斜視図、図７は図６の荷降ろしロープ掴み用の手嵌め具の作り方の説明図、図８は図６の荷降ろしロープ掴み用の手嵌め具の使用状態を示す一部省略した説明図であり、図２、図５と同一の構成部分には同一の符号が付してある。
図６において、左手用及び右手用の荷降ろしロープ掴み用の手嵌め具（以下、簡単に「手嵌め具」という）５０、６０は、掌と手甲の周りに着脱自在に装着可能に形成されており、手嵌め具５０、６０を手に装着した状態で荷降ろしロープ（図８の符号３参照）を掴むことができる。
【００２１】
手嵌め具５０、６０は全体が断面の扁平な略筒状に形成されており、人指し指から小指までの４本を揃えて手首側の開口部５１、６１から挿通し、人指し指から小指までの４本の指を指先から根元まで指側の開口部５２、６２から外部へ出すことにより、掌と手甲の周りに着脱自在に装着可能である。手嵌め具５０、６０の内、掌を覆う掌部５３、６３と手甲を覆う手甲部５４、６４は、図７（１）に示す如くロープを略わらじ状に編んだマット体５５、６５により形成されており、略長方形状のマット体５５、６５をＵ字状に曲げたあとの上側の両端部５０ａと５０ｂ、６０ａと６０ｂの間をロープ紐７０で結び付けて成る（図７（２）、（３）参照）。ロープ紐７０で結び付けるに当たって、掌部５３、６３と手甲部５４、６４の親指寄りに、親指を挿通して掛ける略輪状の親指掛け部５６、６６も一緒に設けてある（図６、図７（３）参照）。ロープ編みされたマット体５５、６５は変形性とロープ素材の摩擦性、断熱性を合わせ持っている。
【００２２】
マット体５５、６５を編むためのロープ素材には、麻ロープ（マニラ麻ロープを含む）、綿ロープなどの天然繊維系ロープ、ポリプロピレンロープ、ビニロンロープ（クレモナロープ）、ビニロンとポリエチレン、ビニロンとエステルなどの混撚ロープなどの一種または複数種を使用することができる。
【００２３】
上記の如く構成された手嵌め具５０、６０を図２乃至図５の如く荷降ろし作業で使用したい場合、予め左手と右手に皮手袋を嵌めておき、更に左手の人指し指から小指までの四本の指を揃えて手嵌め具５０の手首側の開口部５１から挿入し、人指し指から小指までの４本の指を指先から根元近くまで指側の開口部５２から外側に出すとともに親指掛け部５６に親指を通して親指を指先から根元近くまで外側に出し、左手の掌と手甲の周りに着脱自在に装着する。同様に、右手の人指し指から小指までの四本の指を揃えて手嵌め具６０の手首側の開口部６１から挿入し、人指し指から小指までの４本の指を指先から根元近くまで指側の開口部６２から外側に出すとともに親指掛け部６６に親指を通して親指を指先から根元近くまで外側に出し、右手の掌と手甲の周りに着脱自在に装着する。
【００２４】
図８に示す如く、荷降ろし中に上昇移動する胴部３５の下側の上昇側ロープ３ｂを、皮手袋または軍手を嵌めた左手と右手に手嵌め具５０、６０を重ねて嵌めた状態で掴むことにより、荷降ろしロープ３と胴部３５に巻装された摩擦ロープ４０との接触に加えて、マット体５５、６５による掌部５３、６３と荷降ろしロープ３との接触で大きな摩擦力を得ることができ、荷降ろし高さが高いなどの理由で荷降ろし対象部材の降下速度が速い場合でも、確実にブレーキを掛けることができる。また、ロープを編んで形成したマット体５５、６５が大きな断熱性を有することから、作業者の手に摩擦熱が伝わり難くなる。
また、手嵌め具５０、６０が断面の扁平な略筒状に形成されているので、掌と手甲の周りへの着脱が容易であり、親指掛け部５６、６６に親指を挿通して掛けることにより、作業中に手嵌め具５０、６０が外れ難くなる。
また、ロープ編みされた手嵌め具５０、６０が変形性を有することと、開口部５２、６２、親指掛け部５６、６６から外部に露出した五本の指を自在に曲げたり、伸ばしたりできることから、良好な作業性が得られる。
【００２５】
なお、図８では胴部３５には摩擦用ロープ４０が巻装された例を示したが、図３の如く摩擦用ロープの無い胴部３５であっても良いのは勿論である。
また、図９の如く、胴部３５は使用せず簡易クレーン１０だけ使用し、荷降ろし中に下降側ロープ３ａと上昇側ロープ３ｂを一緒に強く握ってブレーキを掛ける場合にも、予め、手嵌め具５０、６０を左右の手に装着しておくことで、手の中で移動する下降側ロープ３ａ、上昇側ロープ３ｂと掌部５３、６３の間に大きな摩擦力が働き、荷降ろしロープ３の移動速度の速い場合でも、確実にブレーキを掛けることができる。また、掌部５３、６３の断熱性により作業者の手に摩擦熱が伝わり難くなる。
【００２６】
また、上記した実施例では、足場部材を荷降ろしする場合を例に挙げて説明したが、建築物の工事用資材、建築物の解体部材のほか、他の種類の荷降ろし部材を対象とすることもでき、更に荷降ろし以外の作業で移動するロープを掴む必要がある場合にも使用できる。
【産業上の利用可能性】
【００２７】
本発明は、マンション、ビル等の建築物の新築・改修工事現場等の仮設足場等から荷降ろしロープを用いて足場部材、建築用工事資材、建築物の解体部材等の荷降ろしをする場合などに適用できる。
【符号の説明】
【００２８】
３  荷降ろしロープ
３ｂ  上昇側ロープ
５０、６０  荷降ろしロープ掴み用の手嵌め具
５１、５２、６１、６２  開口部
５３、６３  掌部
５４、６４  手甲部
５５、６５  マット体
５６、６６  親指掛け部
【図１】
2019119971.tif 000003
【図２】
2019119971.tif 000004
【図３】
2019119971.tif 000005
【図４】
2019119971.tif 000006
【図５】
2019119971.tif 000007
【図６】
2019119971.tif 000008
【図７】
2019119971.tif 000009
【図８】
2019119971.tif 000010
【図９】
2019119971.tif 000011
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
掌と手甲の周りに着脱自在に装着して、ロープを掴むことができる手嵌め具であって、
掌側と手甲側の内、少なくとも掌側がロープを編んで形成した変形性を有するマット体により形成されていること、
を特徴とするロープ掴み用の手嵌め具。
【請求項２】
親指を通して掛ける親指掛け部を備えたこと、
を特徴とする請求項１記載のロープ掴み用の手嵌め具。
【請求項３】
マット体は、ロープをわらじ編みして形成されていること、
を特徴とする請求項１または２記載のロープ掴み用の手嵌め具。
【請求項４】
マット体は、麻ロープ（マニラ麻ロープを含む）、綿ロープ、ポリプロピレンロープ、ビニロンロープ（クレモナロープ）、ビニロンとポリエチレンの混撚ロープ、ビニロンとエステルの混撚ロープの内の１種または複数種のロープにより編まれていること、
を特徴とする請求項１乃至３の内のいずれか一項記載のロープ掴み用の手嵌め具。
【手続補正２】
【補正対象書類名】明細書
【補正対象項目名】００１６
【補正方法】変更
【補正の内容】
【００１６】
請求項１記載の発明では、
掌と手甲の周りに着脱自在に装着して、ロープを掴むことができる手嵌め具であって、
掌側と手甲側の内、少なくとも掌側がロープを編んで形成した変形性を有するマット体により形成されていること、
を特徴としている。
請求項２記載の発明では、
親指を通して掛ける親指掛け部を備えたこと、
を特徴としている。
請求項３記載の発明では、
マット体は、ロープをわらじ編みして形成されていること、
を特徴としている。
請求項４記載の発明では、
マット体は、麻ロープ（マニラ麻ロープを含む）、綿ロープ、ポリプロピレンロープ、ビニロンロープ（クレモナロープ）、ビニロンとポリエチレンの混撚ロープ、ビニロンとエステルの混撚ロープの内の１種または複数種のロープにより編まれていること、
を特徴としている。